(57)【要約】【課題】専用コンセントに交換することなく通常のコンセントが使用でき、また、分電盤の大幅なコストアップがなく、分電盤の分岐回路全部をトラッキングから保護することができ、部品コストを低減し、ケースを小型化できる単相３線式回路遮断器を提供する。【解決手段】単相３線式分電盤１の電路Ｌ１，Ｌ２，Ｎを保護する主幹ブレーカとしての単相３線式回路遮断器２において、単相３線式電路の中性線Ｎと２本の電圧線Ｌ１，Ｌ２を挿通させたトラッキング検出用零相変流器１０と、トラッキング検出用零相変流器１０の検出電流によりトラッキングを検出するトラッキング検出回路１１とで構成するトラッキング検出装置３を備えた。【選択図】図２
2009004134.tif 000002
【特許請求の範囲】
【請求項１】
単相３線式分電盤の主幹ブレーカに用いられる単相３線式回路遮断器において、単相３線式電路の中性線と２本の電圧線を挿通させたトラッキング検出用零相変流器と、該トラッキング検出用零相変流器の検出電流によりトラッキングを検出するトラッキング検出回路とで成るトラッキング検出装置を備えたことを特徴とする単相３線式回路遮断器。
【発明の詳細な説明】
【技術分野】
【０００１】
本発明は、コンセントや電源プラグで発生するトラッキングを検出する機能を備えた回路遮断器に関する。
【背景技術】
【０００２】
コンセントや電源プラグの両刃間に塵埃が堆積し、水分が吸収されることで両刃間に漏れ電流が発生し、時間の経過により熱劣化、アーク放電等が発生して火災の原因となるトラッキング現象が起こる。このトラッキング現象を検出する方法としては、例えば特許文献１に記載されるようにトラッキング検出機能を備えた専用コンセントを用いたり、特許文献２に記載されるようにトラッキング検出機能を備えた分岐ブレーカを用いる方法があった。このトラッキングを検出するブレーカは、コンセントや電源プラグに接続された２本の電路のうち１本を変流器に挿通させ、変流器により電路に流れる電流を検出し、検出電流からトラッキング検出回路がトラッキングを検出するようになっていた。
【０００３】
【特許文献１】特開２００４−３２７２４７号公報
【特許文献２】特開２００４−２２４６２号公報
【発明の開示】
【発明が解決しようとする課題】
【０００４】
しかしながら、トラッキング検出機能を備えたコンセントを用いる場合は、コンセントの費用が高く、また、既設の一般コンセントを取り替える場合は、コンセントごとに施工が必要となる欠点があり、トラッキング検出機能を備えた分岐ブレーカを用いる場合は、トラッキングを検出する分岐回路が増えるにつれて分電盤のコストが高くなる欠点があった。また、ブレーカの変流器によりトラッキングを検出する場合、電路が単相２線の２本であれば電圧線と中性線のどちらかの電流を検出すればよいので１つの変流器で検出できるが、電路が単相３線の３本になると、１００Ｖ、２００Ｖどちらでもトラッキングを検出するためには中性線とどちらかの電圧線の２本の電路の電流を検出しなければならないので２つの変流器が必要となり、部品コストが上昇し、更に収容スペースが必要となるのでケースが大型化する欠点があった。
【課題を解決するための手段】
【０００５】
本発明によれば、単相３線式分電盤の主幹ブレーカに用いられる単相３線式回路遮断器において、単相３線式電路の中性線と２本の電圧線を挿通させたトラッキング検出用零相変流器と、トラッキング検出用零相変流器の検出電流によりトラッキングを検出するトラッキング検出回路とで成るトラッキング検出装置を備えたことを特徴とする。
【発明の効果】
【０００６】
本発明によれば、専用コンセントに交換することなく通常のコンセントが使用でき、また、分電盤の大幅なコストアップがなく、分電盤の分岐回路全部をトラッキングから保護することができ、部品コストを低減し、ケースを小型化できるという効果がある。
【発明を実施するための最良の形態】
【０００７】
単相３線式分電盤の電路を保護する主幹ブレーカとしての単相３線式回路遮断器において、単相３線式電路の中性線と２本の電圧線を挿通させたトラッキング検出用零相変流器と、トラッキング検出用零相変流器の検出電流によりトラッキングを検出するトラッキング検出回路とで構成するトラッキング検出装置を備えた。
【実施例１】
【０００８】
本発明に係るトラッキング検出装置の実施例１を図１及び図２の添付図面に基づいて説明する。
【０００９】
単相３線式分電盤１は電路Ｌ１，Ｌ２，Ｎに過電流や漏電などの異常が発生した場合にこれらを検出して電路Ｌ１，Ｌ２，Ｎを遮断し保護するための主幹ブレーカとしての単相３線式回路遮断器２と、主幹ブレーカ２の二次側に接続された複数の分岐回路を保護する分岐ブレーカ３，３・・・とで構成し、トラッキング検出装置４は主幹ブレーカである単相３線式回路遮断器２に組み込まれる。
【００１０】
単相３線式回路遮断器２は、１本の中性線Ｎと２本の電圧線Ｌ１，Ｌ２から成る３本の電路に夫々設けられた開閉接点５，５，５と、電路Ｌ１，Ｌ２，Ｎに異常が発生した際に強制的に開閉接点５，５，５を開離する引き外し装置６と、電路Ｌ１，Ｌ２，Ｎの過電流を検出する過電流検出素子７，７，７と、電路Ｌ１，Ｌ２，Ｎの漏電を検出するために３本の電路Ｌ１，Ｌ２，Ｎを挿通させた漏電用零相変流器８と、漏電用零相変流器８の検出電流から漏電を検出する漏電検出回路９と、電路Ｌ１，Ｌ２，Ｎのトラッキングを検出するために３本の電路Ｌ１，Ｌ２，Ｎを挿通させたトラッキング用零相変流器１０と、トラッキング用零相変流器１０の検出電流からトラッキングを検出するトラッキング検出回路１１と、漏電検出回路９及びトラッキング検出回路１１の出力信号を受けて引き外し装置６を駆動させる駆動回路１２とを備えて構成している。なお、トラッキング検出装置４はトラッキング検出用零相変流器１０とトラッキング検出回路１１とで構成している。
【００１１】
単相３線式回路遮断器２は、電路Ｌ１，Ｌ２，Ｎの過電流を過電流検出素子７，７，７が検出したときには過電流検出素子７が引き外し装置６を駆動させて電路Ｌ１，Ｌ２，Ｎを遮断し、電路Ｌ１，Ｌ２，Ｎの漏電を漏電用零相変流器８の検出電流により漏電検出回路９が検出したときには駆動回路１２の出力により引き外し装置６を駆動させて電路Ｌ１，Ｌ２，Ｎを遮断し、分岐回路の負荷に接続されたコンセント１３や負荷機器の電源プラグで発生したトラッキングをトラッキング用零相変流器１０の検出電流によりトラッキング検出回路１１が検出したときには駆動回路１２の出力により引き外し装置６を駆動させて電路Ｌ１，Ｌ２，Ｎを遮断することで、電路Ｌ１，Ｌ２，Ｎを各種の異常から保護している。
【００１２】
単相３線式回路遮断器はトラッキングを検出した際に単相３線式電路Ｌ１，Ｌ２，Ｎを遮断することで、分電盤１の分岐ブレーカ３にトラッキング検出機能付きの専用ブレーカを設ける必要がなく、また、コンセント１３にトラッキング検出機能付きの専用コンセントを設ける必要がなくなるので施工がいらず、コストをかけずにトラッキングを保護することができる。
【図面の簡単な説明】
【００１３】
【図１】本発明の実施例１に係る単相３線式分電盤を示す説明図である。
【図２】本発明の実施例１に係る単相３線式回路遮断器のブロック図である。
【符号の説明】
【００１４】
１    単相３線式分電盤
２    主幹ブレーカ
３    分岐ブレーカ
４    トラッキング検出装置
５    開閉接点
６    引き外し装置
７    過電流検出素子
８    漏電用零相変流器
９    漏電検出回路
１０    トラッキング用零相変流器
１１    トラッキング検出回路
１２    駆動回路
１３    コンセント
【図１】
2009004134.tif 000003
【図２】
2009004134.tif 000004